(57)【特許請求の範囲】
【請求項１】
複数の蓄電素子を並べた状態で接続してなる蓄電素子群に装着される温度検知モジュールであって、
前記蓄電素子に当接されて同蓄電素子の温度を検知するサーミスタと、
前記サーミスタから引き出されたサーミスタ電線と、
前記サーミスタを前記蓄電素子側に向けて移動付勢した形態で前記蓄電素子に対して接離する方向に移動可能に保持するサーミスタ保持部と、
前記サーミスタ電線が一方向に向けて配索される電線配索路と、が具備され、
前記電線配索路には、前記サーミスタから引き出されて前記電線配索路に沿って配索された前記サーミスタ電線の途中位置を、同サーミスタ電線の引き出し端側に前記サーミスタの移動を許容するべく所定量の余長部を設けた形態で保持する保持手段が設けられており、
前記サーミスタ電線は、前記サーミスタの周面から前記電線配索路から離間する方向に引き出されたのち、前記電線配索路側に折り返された形態で配索されている温度検知モジュール。
【請求項２】
前記保持手段は、前記電線配索路に配索された前記サーミスタ電線の途中位置が結束具で結束される一方、前記電線配索路には前記結束具と係合して同結束具の前記電線配索路に沿った方向の移動を規制する規制部が設けられていることにより構成されている請求項１に記載の温度検知モジュール。
【請求項３】
複数の蓄電素子を並べた状態で接続してなる蓄電素子群に装着される温度検知モジュールであって、
前記蓄電素子に当接されて同蓄電素子の温度を検知するサーミスタと、
前記サーミスタから引き出されたサーミスタ電線と、
前記サーミスタを前記蓄電素子側に向けて移動付勢した形態で前記蓄電素子に対して接離する方向に移動可能に保持するサーミスタ保持部と、
前記サーミスタ電線が一方向に向けて配索される電線配索路と、が具備され、
前記電線配索路には、前記サーミスタから引き出されて前記電線配索路に沿って配索された前記サーミスタ電線の途中位置を、同サーミスタ電線の引き出し端側に前記サーミスタの移動を許容するべく所定量の余長部を設けた形態で保持する保持手段が設けられており、
前記サーミスタ保持部には、前記サーミスタ電線の引き出し端を前記サーミスタ側に引き戻した形態において掛け外し可能に掛止する仮掛止部が設けられている温度検知モジュール。
【請求項４】
前記仮掛止部の張り出し端には、前記仮掛止部に掛止された前記サーミスタ電線の外れ止め用の突部が形成されている請求項３に記載の温度検知モジュール。
【請求項５】
前記サーミスタ電線は、前記サーミスタの周面から前記電線配索路から離間する方向に引き出されたのち、前記電線配索路側に折り返された形態で配索されている請求項３または請求項４に記載の温度検知モジュール。
【請求項６】
前記保持手段は、前記電線配索路に配索された前記サーミスタ電線の途中位置が結束具で結束される一方、前記電線配索路には前記結束具と係合して同結束具の前記電線配索路に沿った方向の移動を規制する規制部が設けられていることにより構成されている請求項３から請求項５のいずれか１項に記載の温度検知モジュール。
【請求項７】
前記電線配索路の出口側に装着された前記サーミスタから引き出された前記サーミスタ電線は、前記電線配索路の入口側を向いたのち、途中で前記出口側に向けて折り返された折り返し部が形成された形態で配索され、前記サーミスタ電線における前記電線配索路の入口側に向けて配索された部分の途中位置が前記保持手段により保持されている請求項１から請求項６のいずれか一項に記載の温度検知モジュール。
【発明の詳細な説明】
【技術分野】
【０００１】
本明細書によって開示される技術は、蓄電モジュールに設けられる温度検知モジュールに関する。
【背景技術】
【０００２】
電気自動車やハイブリッド車の電源装置として、複数の単電池を並べて接続した電池モジュールが用いられる。このような電池モジュールでは、単電池が高温に昇温されると寿命等に悪影響があるため、サーミスタを装備した温度検知モジュールを用いて単電池の温度を監視する手段が講じられており、例えば下記特許文献１に記載のものが知られている。
【０００３】
温度検知モジュールは、複数のサーミスタ保持部と、電線配索路とが設けられた合成樹脂製のサーミスタ装着部材を備え、各サーミスタ保持部に、サーミスタが単電池側に向けて弾性的に移動付勢された形態で収容されるとともに、各サーミスタから引き出されたサーミスタ電線（リード線）が、電線配索路に沿って一方向に向けて配索された構造である。この温度検知モジュールが電池モジュールの上面に装着されることに伴い、各サーミスタが対応する単電池に弾力的に押し付けられ、適宜の複数の単電池の温度が個別に検知されるようになっている。ここで、サーミスタ電線におけるサーミスタからの引き出し端側では、サーミスタの移動を許容するべく余長部が設けられている。
【先行技術文献】
【特許文献】
【０００４】
【特許文献１】特開２０１３−１５７１２３号公報
【発明の概要】
【発明が解決しようとする課題】
【０００５】
しかしながら従来のものでは、サーミスタ電線の引き出し端側に設けられた余長部がフリーな状態にあって、いわゆる管理がなされていないため、例えばサーミスタ電線が不用意に引っ張られた場合等には、余長が無くなってサーミスタに対して電線からの引っ張り力が作用し、単電池に対する接触圧が不足する等の不具合を招くおそれがあり、その対策が切望されていた。
本明細書によって開示される技術は、上記のような事情に基づいて完成されたものである。
【課題を解決するための手段】
【０００６】
本明細書によって開示される技術は、複数の蓄電素子を並べた状態で接続してなる蓄電素子群に装着される温度検知モジュールであって、前記蓄電素子に当接されて同蓄電素子の温度を検知するサーミスタと、前記サーミスタから引き出されたサーミスタ電線と、前記サーミスタを前記蓄電素子側に向けて移動付勢した形態で前記蓄電素子に対して接離する方向に移動可能に保持するサーミスタ保持部と、前記サーミスタ電線が一方向に向けて配索される電線配索路と、が具備され、前記電線配索路には、前記サーミスタから引き出されて前記電線配索路に沿って配索された前記サーミスタ電線の途中位置を、同サーミスタ電線の引き出し端側に前記サーミスタの移動を許容するべく所定量の余長部を設けた形態で保持する保持手段が設けられている構成である。
【０００７】
サーミスタ電線の途中位置が保持手段により電線配索路上に保持されているから、仮にサーミスタ電線に引っ張り力が作用しても保持された部分で遮断され、サーミスタ電線の引き出し端側に設けられた余長部に影響が及ぶことなく一定量が確保される。サーミスタが蓄電素子に対して接離する際に必要なサーミスタの移動量が余長部で確実に吸収されることにより、サーミスタはサーミスタ電線から負荷を受けることなく移動することが担保され、結果、サーミスタが蓄電素子に当接された場合に安定した接触圧を得ることができる。
【０００８】
また、以下のような構成としてもよい。
前記サーミスタ電線は、前記サーミスタの周面から前記電線配索路から離間する方向に引き出されたのち、前記電線配索路側に折り返された形態で配索されている。
サーミスタは、サーミスタ電線における折り返し部を弾性変形させつつ蓄電素子に対して当てられ、その折り返し部の復元弾性力を受けてサーミスタは蓄電素子に強固に押し付けられる。サーミスタと蓄電素子間でより安定した接触状態を得ることができる。
【０００９】
前記保持手段は、前記電線配索路に配索された前記サーミスタ電線の途中位置が結束具で結束される一方、前記電線配索路には前記結束具と係合して同結束具の前記電線配索路に沿った方向の移動を規制する規制部が設けられていることにより構成されている。
結束具を規制部に係合することにより、サーミスタ電線の途中位置が電線配索路上に保持される。保持作業を簡単に行うことができる。
【００１０】
前記サーミスタ保持部には、前記サーミスタ電線の引き出し端を前記サーミスタ側に引き戻した形態において掛け外し可能に掛止する仮掛止部が設けられている。
サーミスタをサーミスタ保持部に保持したのち、サーミスタから引き出されたサーミスタ電線を電線配索路に配索するに当たり、サーミスタ電線の引き出し端をサーミスタ側に引き戻した形態でサーミスタ保持部に設けられた仮掛止部に掛止したのち電線配索路に配索して途中位置を保持する。そののち、仮掛止部に掛けられたサーミスタ電線の引き出し端を外すと、外された部分が緩み、その緩んだ部分で余長部が形成される。簡単な操作で一定量の余長部を確実に形成することができる。
【００１１】
前記電線配索路の出口側に装着された前記サーミスタから引き出された前記サーミスタ電線は、前記電線配索路の入口側を向いたのち、途中で前記出口側に向けて折り返された折り返し部が形成された形態で配索され、前記サーミスタ電線における前記電線配索路の入口側に向けて配索された部分の途中位置が前記保持手段により保持されている。
サーミスタ電線に対して引っ張り力が作用した場合に、折り返し部が変形しつつ引っ張り力が緩和される。サーミスタ電線の保持位置に過負荷が掛かることが防止される。
【発明の効果】
【００１２】
本明細書によって開示される技術によれば、サーミスタ電線におけるサーミスタからの引き出し端側に適正量の余長部を確保して、サーミスタの円滑な移動を担保することができる。
【図面の簡単な説明】
【００１３】
【図１】実施形態に係る温度検知ユニットが装着された状態の単電池群の前側部分を示す正面図
【図２】同後側部分を示す正面図
【図３】同前側部分の平面図
【図４】同側面図
【図５】前側の２個の分割装着部材が連結された状態を示す斜視図
【図６】前側部材の斜視図
【図７】同平面図
【図８】同正面図
【図９】前側部材にサーミスタが初めに装着された状態を示す斜視図
【図１０】同正面図
【図１１】同平面図
【図１２】同拡大側面図
【図１３】サーミスタ電線が仮掛止片から外された状態を示す斜視図
【図１４】同正面図
【図１５】同平面図
【図１６】前側の２個の分割装着部材に対してサーミスタの装着とサーミスタ電線の配索とが完了した状態を示す上方から視た斜視図
【図１７】同下方から視た斜視図
【図１８】図１のＸ−Ｘ線拡大断面図
【図１９】後側の２個の分割装着部材に対してサーミスタの装着とサーミスタ電線の配索とが完了した状態を示す平面図
【図２０】同上方から視た斜視図
【図２１】同下方から視た斜視図
【図２２】図２のＹ−Ｙ線拡大断面図
【発明を実施するための形態】
【００１４】
＜実施形態＞
実施形態を図１ないし図２２に基づいて説明する。電池モジュールＢＭは、図１ないし図４に示すように、正極及び負極の電極端子１２を有する複数の単電池１１（蓄電素子の一例）を並べてなる単電池群１０を備えており、隣り合う単電池１１の電極端子１２同士（正極と負極）をバスバー（図示せず）で順次に接続することによって、当該電池モジュールＢＭが形成される。
上記の単電池群１０の上面に、本実施形態に係る温度検知モジュールＨＭが装着されるようになっている。
【００１５】
温度検知モジュールＨＭは、図３に示すように、合成樹脂製のサーミスタ装着部材３０（以下、単に装着部材３０）と、同装着部材３０に装着される複数個のサーミスタ２０（図９参照）と、を備えて構成されており、単電池群１０の上面のほぼ中央幅位置において全長に亘って配されている。
サーミスタ２０は、図９に示すように、素子２１が枠状のケース２２内に収められた直方体状をなし、同サーミスタ２０の一側面から、対をなすサーミスタ電線２５（リード線）が引き出された構造である。またサーミスタ２０の上面には、ケース２２と一体形成された形態で付勢ばね２３が設けられている。
【００１６】
装着部材３０は全体としては、上記のように単電池群１０の全長に亘る長さを有する浅いチャンネル状に形成されている。
装着部材３０は詳細には、図５及び図１９に示すように、複数の分割装着部材３１を一連に繋いで形成されている。分割装着部材３１としては、装着部材３０の前端部に配される前側部材３１Ｆと、後端部に配される後側部材３１Ｒと、その間に配される中間部材３１Ｍとを備えており、単電池群１０の全長すなわち単電池１１の数に応じて、適当数の分割装着部材３１が繋がれて形成されるようになっている。
【００１７】
この実施形態の装着部材３０は、前側部材３１Ｆ、２個の中間部材３１Ｍ（同一形状）、及び後側部材３１Ｒの、計４個の分割装着部材３１が連結されて形成されている。各分割装着部材３１は、隣り合う分割装着部材３１の突き合わせ端縁の一方に形成された係合部３２を、他方に形成された係合受け部３３に挿入することで順次に連結され、上記した装着部材３０が形成されるようになっている。
【００１８】
装着部材３０全体としては、サーミスタ２０が個別に収容される複数のサーミスタ保持部３５が、長さ方向に沿った所定の間隔を開けた位置ごとに設けられている。この実施形態ではサーミスタ保持部３５は、前側部材３１Ｆと後側部材３１Ｒに各１個、各中間部材３１Ｍにはそれぞれ複数個（例えば２個）が設けられている。なお、両中間部材３１Ｍに形成されたサーミスタ保持部については図示が省略されている。
【００１９】
また、上記のように装着部材３０がチャンネル形をなしていることで、装着部材３０の内部が、各サーミスタ２０から引き出されたサーミスタ電線２５を、一方向（図３の右側）に向けて配索する電線配索路３７となっている。基本的には、左側壁３８Ｌ（図３の下側）の内側に沿って配索されるようになっている（配索経路３９）。
【００２０】
装着部材３０の構造を詳細に説明する。
前側部材３１Ｆの構造について、図６ないし図８によって説明する。前側部材３１Ｆの前端部には、全幅に亘って上記したサーミスタ保持部３５が形成されている。サーミスタ保持部３５は、上下両面に開口した概ね長方形の筒状をなし、前側部材３１Ｆの底面から下方に突出するようにして形成されている。
サーミスタ保持部３５は、幅方向の右側（図７の上側）がサーミスタ２０を収容する収容部４０とされ、左側が、サーミスタ２０から引き出されたサーミスタ電線２５を通して、上記の電線配索路３７の始端側に導く電線導出部４５とされている。
【００２１】
収容部４０には、サーミスタ２０の少なくとも四つの角部を嵌める上下方向のガイド４１が設けられ、そのためサーミスタ２０は、収容部４０内において上下方向の摺動自由に収容されている。収容部４０の上部側には、詳しくは図示しないが、サーミスタ２０に設けられた付勢ばね２３と係合するばね係合部４２が設けられており、サーミスタ２０は常には、その下側の大部分が収容部４０の下面開口から突出した所定位置に吊り下げ支持されている。また、サーミスタ２０は上記の付勢ばね２３を弾縮させつつ上方に摺動し、その復元弾拡力により、サーミスタ２０に対して下向きの摺動力が付勢されるようになっている。
【００２２】
電線導出部４５の左側壁４６は、前側部材３１Ｆの左側壁３８Ｌと面一に繋がって形成されており、図８に示すように、電線導出部４５の左側壁４６から前側部材３１Ｆの左側壁３８Ｌに亘り、上記したサーミスタ２０から引き出されたサーミスタ電線２５を挿通可能な電線挿通溝４８が、上下両端が開口した縦向きの姿勢で形成されている。
【００２３】
上記の電線挿通溝４８における正面視で左側縁の下端部には、図８に示すように、所定幅を有する仮掛止片５０が右側縁に向けて張り出し形成されている。仮掛止片５０の下縁の張出端には、外れ止め用の突部５１が形成されている。
一方、右側縁における仮掛止片５０と対向した下端部５２が、同仮掛止片５０の張り出し量だけ右側に後退した形態で形成され、上部側と同じ溝幅が確保されている。
【００２４】
前側部材３１Ｆにおけるサーミスタ保持部３５の後方位置（図７の右側）には、左右の側壁３８Ｌ，３８Ｒの上端に亘る帯状をなすカバー５５が、ヒンジ部５６を介して揺動開閉可能に設けられている。カバー５５は、電線配索路３７の上面を横切って覆うことにより、配索されたサーミスタ電線２５の外れ止めを図り、また前側部材３１Ｆを変形防止のために補強する機能も果たしている。
【００２５】
続いて、前側部材３１Ｆに装着されたサーミスタ２０から引き出されたサーミスタ電線２５の配索に関連した構造を説明する。
詳しくは後記するが、サーミスタ保持部３５における電線導出部４５から導出されたサーミスタ電線２５は、装着部材３０における左側壁３８Ｌの内側の配索経路３９に沿って配索されるようになっている。
ここで、上記したサーミスタ電線２５の任意の途中位置は、図１６に示すように、結束バンド６０で結束されるようになっている。結束バンド６０の例としては、図１８に示すように、ヘッド部６１から延出されたバンド部６２がサーミスタ電線２５を巻いて結束したのち、ヘッド部６１に戻されて固定される形式のものが挙げられる。
【００２６】
一方、前側部材３１Ｆに連結される中間部材３１Ｍでは、図５に示すように、上記した左側壁３８Ｌの内側の配索経路３９において、同配索経路３９に沿う方向に間隔を開けた２箇所に電線押さえ部６５が設けられている。電線押さえ部６５は、図１８に示すように、左側壁３８Ｌから所定寸法内側に入った位置において、上端に押さえ用の鈎部６７を有する２本の支柱６６が一定間隔を開けて並んだ形態で立てられた構造となっている。
ここで、電線押さえ部６５における両支柱６６の間隔は、上記した結束バンド６０を略緊密に挟持できる程度の間隔である。また、両支柱６６の間における底面には、結束バンド６０の一部（例えばサーミスタ電線２５に巻かれたバンド部６２）を嵌めて逃がす逃がし孔６８が開口されている。
【００２７】
上記した結束バンド６０と電線押さえ部６５とにより、サーミスタ電線２５の所定の途中位置を電線配索路３７（配索経路３９）上に保持する保持手段６９が構成されている（図１６参照）。
なお、中間部材３１Ｍには、前側部材３１Ｆに設けられたものと同様のカバー５５が、間隔を開けた３箇所に設けられており、上記した両電線押さえ部６５は、隣り合うカバー５５の中間の位置ごとに設けられている。
【００２８】
次に、後側部材３１Ｒの構造、並びに同後側部材３１Ｒに装着されたサーミスタ２０から引き出されたサーミスタ電線２５の配索に関連した構造を、図１９ないし図２２によって説明する。
後側部材３１Ｒには、図１９に示すように、中央長さ部において、上記の前側部材３１Ｆに設けたものと同一構造になるサーミスタ保持部３５が形成されている。ここでは、サーミスタ保持部３５における電線導出部４５が、電線配索路３７の終端側と連通されている。
【００２９】
後側部材３１Ｒの後端部は右側（図１９の上側）に張り出して拡幅されており、この拡幅部分の後壁における右端部には、電線配索路３７の出口路７０が後方に突出した形態で形成されている。なお、サーミスタ保持部３５における収容部４０の天井部分には、サーミスタ電線２５を嵌めて案内する案内路７１が形成されている。
また、サーミスタ保持部３５の前方位置（図１９の左側）には、同様のカバー５５が配されている。
【００３０】
この後側部材３１Ｒの前端に中間部材３１Ｍが連結されている。この中間部材３１Ｍは、後記するように当該後側部材３１Ｒに装着されたサーミスタ２０から引き出されたサーミスタ電線２５を配索することに利用されるが、中間部材３１Ｍ自体の構造については、前側部材３１Ｆに接続された中間部材３１Ｍと同じであるから、改めての説明は割愛する。
【００３１】
本実施形態の温度検知モジュールＨＭの組み立て手順並びに装着手順の一例を説明する。
まず、前側部材３１Ｆと、２個の中間部材３１Ｍと、後側部材３１Ｒとを既述した要領で一連に繋いで、装着部材３０を形成する。続いて、このような装着部材３０に対してサーミスタ２０が装着される。なお以下では、前側部材３１Ｆと後側部材３１Ｒにサーミスタ２０を装着する場合に限って説明し、中間部材３１Ｍへのサーミスタ２０の装着については、その説明は割愛する。
【００３２】
前側部材３１Ｆにサーミスタ２０を装着する場合は、図９ないし図１２に示すように、サーミスタ２０を、サーミスタ電線２５の引き出し部分を手前に向けた姿勢として、サーミスタ保持部３５における収容部４０に下方から挿入する。そのときサーミスタ２０の上面側の付勢ばね２３を、収容部４０に設けたばね係合部４２に係合することにより、サーミスタ２０は付勢ばね２３により下動付勢されつつ、収容部４０の下面開口から所定量突出した状態に保持される。
【００３３】
次に、サーミスタ２０から引き出されたサーミスタ電線２５を手前側に引き出したのち、図１０に示すように、電線挿通溝４８の左側縁の下端部に設けた仮掛止片５０の下縁に掛け回して上方に屈曲させる。上方に屈曲されたサーミスタ電線２５は、上端の開口を通りつつ電線挿通溝４８を貫通するようにして電線導出部４５内に通される。そののち、サーミスタ電線２５を少し引っ張って緊張させつつ、前側部材３１Ｆから中間部材３１Ｍに亘る左側壁３８Ｌの内面に沿うようにして後方に向けて仮配索する。
【００３４】
続いて、仮配索されたサーミスタ電線２５における所定の電線押さえ部６５（図１６の右側）と対応する位置を、結束バンド６０により結束する。そののち、同結束バンド６０（回曲されたバンド部６２）を電線押さえ部６５の両支柱６６間に嵌めつつ、サーミスタ電線２５を、同電線押さえ部６５並びにその後側の電線押さえ部６５と、左側壁３８Ｌの間に押し込むことにより、サーミスタ電線２５が抜け止めされた状態で、左側壁３８Ｌの内側の配索経路３９に沿って後方に向けて配索される。そののちサーミスタ電線２５は、図示はしないが、次の中間部材３１Ｍから後側部材３１Ｒに亘って形成された電線配索路３７に配索され、後側部材３１Ｒの後縁に設けられた出口路７０を通って外部に引き出される。
【００３５】
このようにサーミスタ電線２５が配索されたら、サーミスタ電線２５の基端部における仮掛止片５０の下縁に掛止された部分を、突部５１を越えさせつつ図１０の矢線ｘ方向に移動し、すなわち仮掛止片５０から外す。そうすると、図１３ないし図１５に示すように、仮掛止片５０に掛止されて緊張していた部分に緩みができ、この緩んだ部分により、いわゆる余長部２６が一定長さ形成される。
【００３６】
また、左側壁３８Ｌの内側の配索経路３９に沿って配索されたサーミスタ電線２５の途中位置に結束バンド６０が装着されて、同結束バンド６０が電線押さえ部６５を構成する一対の支柱６６の間に嵌められていることにより、配索経路３９に沿って配索されたサーミスタ電線２５が、前後方向の移動が規制された形態に位置決めされる。そのため、サーミスタ電線２５が後方または前方に移動することに起因して、上記の余長部２６の長さが減少したり、逆に徒に長さが増えることが未然に防止され、すなわち一定長さの余長部２６が確保される。
【００３７】
後側部材３１Ｒにサーミスタ２０を装着する場合を説明する。上記の前側部材３１Ｆと同様に、サーミスタ保持部３５における収容部４０にサーミスタ２０を収容したのち、サーミスタ２０から手前に引き出されたサーミスタ電線２５を、仮掛止片５０の下縁に掛け回して上方に屈曲させたのち電線挿通溝４８を貫通するようにして電線導出部４５内に通す。そののち、図１９に示すように、サーミスタ電線２５を少し引っ張って緊張させつつ、後側部材３１Ｒから中間部材３１Ｍに亘る左側壁３８Ｌの内側の配索経路３９に沿うようにして、逆方向である前方に向けて仮配索する。
【００３８】
続いて、上記のように仮配索されたサーミスタ電線２５における所定の電線押さえ部６５（図１９の右側）と対応する位置を、結束バンド６０により結束する。そののち、同結束バンド６０（回曲されたバンド部６２）を電線押さえ部６５の両支柱６６間に嵌めつつ、サーミスタ電線２５を、同電線押さえ部６５と左側壁３８Ｌの間に押し込むことにより、サーミスタ電線２５が抜け止めされた状態で、左側壁３８Ｌの内側の配索経路３９に沿って逆向きである前方に向けて配索された状態となる。
【００３９】
そののちサーミスタ電線２５は、電線押さえ部６５から前方に出たところで、後方に向けて比較的大きな曲げ半径を持って折り返され（折り返し部２９）、引き続き電線配索路３７における右側部側（図１９の上側）に沿って後方に配索されて、案内路７１から出口路７０を通って外部に引き出される。すなわち、結束バンド６０と電線押さえ部６５とからなる保持手段６９により、サーミスタ電線２５における折り返し部２９の手前側が、概ね移動不能に電線配索路３７上に保持される。
このように配索されたサーミスタ電線２５では、例えば外部からサーミスタ電線２５に対して引っ張り力が作用した場合に、折り返し部２９が弾性変形しつつ同引っ張り力が吸収される。
【００４０】
上記のようにサーミスタ電線２５が配索されたら、前側部材３１Ｆと同様にして、サーミスタ電線２５の基端部における仮掛止片５０の下縁に掛止された部分を外すと、仮掛止片５０に掛止されて緊張していた部分に緩みができて、この緩んだ部分により一定長さの余長部２６が形成される。
【００４１】
上記のように、装着部材３０に対してサーミスタ２０が装着され、かつサーミスタ電線２５が配索されることにより、温度検知モジュールＨＭの組み立てが完了する。このように組み立てられた温度検知モジュールＨＭが、図１ないし図４に示すように、単電池群１０の上面の所定位置に位置決めされて装着される。このとき、各サーミスタ２０は、対応する単電池１１の上面に対し、付勢ばね２３の付勢力を受けて弾性的に押し付けられる。
一方、電線配索路３７の出口路７０から引き出されたサーミスタ電線２５の反対側の端末は、図示しないＥＣＵ（Electronic Control Unit）等に接続され、適宜の単電池１１の温度検知システムが構築されることになる。
【００４２】
本実施形態の温度検知モジュールＨＭによれば、以下のような効果を得ることができる。
サーミスタ２０をサーミスタ保持部３５に保持したのち、同サーミスタ２０から引き出されたサーミスタ電線２５を電線配索路３７に配索する構造を構築する場合に、サーミスタ電線２５の基端部に一定長さの余長部２６を設けた形態において、電線配索路３７（配索経路３９）に沿って配索されたサーミスタ電線２５の途中位置を、結束バンド６０と電線押さえ部６５とからなる保持手段６９で保持するようにしている。
【００４３】
サーミスタ電線２５の途中位置が電線配索路３７（配索経路３９）上に保持されているから、仮にサーミスタ電線２５に引っ張り力や押し込み力が作用しても、保持された部分で遮断され、サーミスタ電線２５の基端部に予め設けられた余長部２６に影響が及ぶことなく一定長さが確保される。
そのため、サーミスタ２０が単電池１１に対して接離する際に必要なサーミスタ２０の移動量が余長部２６で確実に吸収されることにより、サーミスタ２０はサーミスタ電線２５から負荷を受けることなく移動することが担保され、結果、サーミスタ２０が単電池１１に対して付勢ばね２３の付勢力を受けて当接された場合に、安定した接触圧を得ることができる。
【００４４】
サーミスタ電線２５の基端部に余長部２６を形成するに当たっては、サーミスタ２０から引き出されたサーミスタ電線２５を、サーミスタ２０側に引き戻すようにして仮掛止片５０に掛け回して折り返し、電線挿通溝４８を通して電線導出部４５内に導いたのち電線配索路３７（配索経路３９）に配索し、そののち、サーミスタ電線２５における仮掛止片５０に掛けられた部分を同仮掛止片５０から外して緩んだ部分を設けることで、余長部２６が形成される。そのため、一定量の余長部２６を確実に形成することができる。
【００４５】
また、サーミスタ２０から引き出されて余長部２６を形成しつつ電線配索路３７の入口に向けられるサーミスタ電線２５の基端側の配索構造は、図１３及び図１４に示すように、サーミスタ２０から手前側に引き出されたのち、上方に屈曲されつつ奥側に向かうように折り返された形態を採る（折り返し部２７）。
そのため、サーミスタ２０が対応する単電池１１の上面に当てられるときには、付勢ばね２３を弾縮することに加えて、サーミスタ電線２５の折り返し部２７を概ね上下の辺が接近するように弾性変形させつつ当てられ、その折り返し部２７の復元弾性力が加わることで、サーミスタ２０は単電池１１の上面に強固に押し付けられる。結果、サーミスタ２０と単電池１１間でより安定した接触状態を得ることができる。
【００４６】
後側部材３１Ｒに装着されたサーミスタ２０から引き出されたサーミスタ電線２５は、電線配索路３７の入口側を向いたのち、途中で出口側に向けて折り返された形態で配索される一方、同サーミスタ電線２５における折り返し部２９の手前の位置が、結束バンド６０と電線押さえ部６５とからなる保持手段６９により電線配索路３７（配索経路３９）上に保持されている。この構造であると、外部からサーミスタ電線２５に対して引っ張り力が作用した場合に、折り返し部２９が変形しつつ引っ張り力が緩和される。サーミスタ電線２５の保持手段６９による保持位置に過負荷が掛かることが防止される。
【００４７】
＜他の実施形態＞
本明細書によって開示される技術は上記記述及び図面によって説明した実施形態に限定されるものではなく、例えば次のような実施形態も技術的範囲に含まれる。
（１）単電池群を構成する単電池のうち、温度検知する単電池の数は任意であり、その場合サーミスタ装着部材には同数のサーミスタ保持部を設ければよい。
（２）一部既述したように、サーミスタ装着部材の分割数は任意であり、また、形状を異にする分割装着部材の種類数も任意である。
（３）さらに、サーミスタ装着部材が分割されておらず一体物で形成されている場合にも、本開示技術は適用可能である。
【００４８】
（４）サーミスタ保持部に設けられる仮掛止部は、上記実施形態に例示した電線挿通溝に仮掛止片を設けた構造に限らず、要はサーミスタから引き出されたサーミスタ電線の基端部を同サーミスタ側に引き戻した形態において掛け外し可能に掛止し得るものであれば、他の構造のものであってもよい。
（５）サーミスタ電線の途中位置を結束する結束具としては、上記実施形態に例示した結束バンドに限らず、要は電線押さえ部と係合して移動規制あるいは保持されるものである限り、他の構造のものであってもよい。
【００４９】
（６）逆に、サーミスタ電線の結束具と係合するべく電線配索路に設けられる規制部は、上記実施形態に例示した構造の電線押さえ部に限らず、他の構造のものであってもよい。
（７）上記実施形態では、サーミスタ電線がサーミスタの一周面から引き出された構造のものを例示したが、上面から引き出されたもの等、他の構造のものであってもよい。
（８）電線配索路の出口側に装着されたサーミスタから引き出されたサーミスタ電線の配索構造において、上記実施形態では、折り返し部の直ぐ手前の位置に保持部材を配した場合を例示したが、保持部材の配設位置は、サーミスタ電線のうち、電線配索路の入口側に向けて配索された部分の途中位置であればよく、係る配設位置であれば、折り返し部の変形を利用して外部からの引っ張り力が緩和され、サーミスタ電線の保持位置に過負荷が掛かることを防止できる。
（９）上記実施形態では、サーミスタ保持部と電線配索路とを一体的に設けた場合を例示したが、サーミスタ保持部と電線配索路とを別体として備えたものであってもよい。
（１０）上記実施形態では蓄電素子として単電池を例示したが、キャパシタであってもよい。
【符号の説明】
【００５０】
ＨＭ：温度検知モジュール
１０：単電池群（蓄電素子群）
１１：単電池（蓄電素子）
２０：サーミスタ
２５：サーミスタ電線
２６：余長部
２７：折り返し部
２９：折り返し部
３０：サーミスタ装着部材
３５：サーミスタ保持部
３７：電線配索路
３９：配索経路
５０：仮掛止片（仮掛止部）
６０：結束バンド（結束具）
６５：電線押さえ部（規制部）
６９：保持手段
【図１】
0006634853.tif 000002
【図２】
0006634853.tif 000003
【図３】
0006634853.tif 000004
【図４】
0006634853.tif 000005
【図５】
0006634853.tif 000006
【図６】
0006634853.tif 000007
【図７】
0006634853.tif 000008
【図８】
0006634853.tif 000009
【図９】
0006634853.tif 000010
【図１０】
0006634853.tif 000011
【図１１】
0006634853.tif 000012
【図１２】
0006634853.tif 000013
【図１３】
0006634853.tif 000014
【図１４】
0006634853.tif 000015
【図１５】
0006634853.tif 000016
【図１６】
0006634853.tif 000017
【図１７】
0006634853.tif 000018
【図１８】
0006634853.tif 000019
【図１９】
0006634853.tif 000020
【図２０】
0006634853.tif 000021
【図２１】
0006634853.tif 000022
【図２２】
0006634853.tif 000023